(57)【特許請求の範囲】
【請求項１】
略円筒状を有し且つ一端が開口されると共に側壁部の少なくとも下方に位置する側に複数のグリズリバー（１５）が設けられたバケット（１）と、バケット（１）に収納され且つ複数のグリズリバー（１５）の間の間隙に添ってバケット（１）の内面の全周囲に亘って回転する複数の掻き羽根（２３）を備えたローター（２）と、バケット（１）の他端に付設されたローター駆動用油圧モーター（３）とから主として構成され、ローター（２）は、ローター駆動用油圧モーター（３）に取り付けられ且つ回転中心から放射状に張出された支持板（２１）と、当該支持板（２１）から回転軸線に沿って伸長された回転アーム（２２）と、該回転アーム（２２）の外側に突設された複数の掻き羽根（２３）とから構成され、そして、バケット（１）の開口から取り込んだ土石類を掻き羽根（２３）で解砕し、グリズリバー（１５）の間の間隙から土砂を落下させ、解砕されなかった石をバケット（１）内に残留させるようになされていることを特徴とする土石類分離用装置。
【請求項２】
バケット（１）が、複数の桁（１３）を介し前面リング部材（１１）と背面支持板（１２）とが対向配置された枠組構造に構成されている請求項１に記載の土石類分離用装置。
【請求項３】
前面リング部材（１１）が、補強リング（１６）を備えている請求項２に記載の土石類分離用装置。
【請求項４】
バケット（１）が、開口端の下方に位置する側に土石取込用の案内板（５）を備えている請求項１〜３の何れかに記載の土石類分離用装置。
【請求項５】
バケット（１）が、側壁部の上方に位置する側に土石飛散防止蓋（１４）を備えている請求項１〜４の何れかに記載の土石類分離用装置。
【請求項６】
バケット（１）が、側壁部の下方に位置する側の両側に分離された土砂を下方へ排出する案内板（１７）を備えている請求項１〜５の何れかに記載の土石類分離用装置。
【請求項７】
バケット（１）が、他端にバックホウ接続用の取付アタッチメント（４）を備えている請求項１〜６の何れかに記載の土石類分離用装置。
【発明の詳細な説明】
【０００１】
【発明の属する技術分野】
本発明は、土石類分離用装置に関するものであり、詳しくは、例えば、土木・建設工事に伴って発生する残土（以下、建設残土と略記する）等から土や砂と石とを分離し、土や砂は改良土、石は路盤材として共に再利用可能とする際に使用する土石類分離用装置に関するものである。
【０００２】
【従来の技術】
種々の工事で発生する建設残土には、含水比の高い粘土、砂質、石の他、コンクリートガラ、レキ、アスファルト合材、路盤材などの各種の異物が混ざっている場合が多い。従って、建設残土を有効に再利用するためには、建設残土の解砕と篩分処理とが必要である。
【０００３】
特開平５−３１１６９０号報には、建設残土の処理のため、底部にスリットを設けてシャフトで掻き回す構造のバケットを備えた土石類分離機が提案されているが、斯かる土石類分離機の場合、実際には粘性土や含水比の高い残土には使用できない欠点がある。
【０００４】
【発明が解決しようとする課題】
本発明は、上記実情に鑑みなされたものであり、その目的は、建設残土の処理に好適に使用され、特に粘性土を含有する建設残土の場合であっても十分に機能し得る土石類分離用装置を提供することにある。
【０００５】
【課題を解決するための手段】
すなわち、本発明の要旨は、略円筒状を有し且つ一端が開口されると共に側壁部の少なくとも下方に位置する側に複数のグリズリバー（１５）が設けられたバケット（１）と、バケット（１）に収納され且つ複数のグリズリバー（１５）の間の間隙に添ってバケット（１）の内面の全周囲に亘って回転する複数の掻き羽根（２３）を備えたローター（２）と、バケット（１）の他端に付設されたローター駆動用油圧モーター（３）とから主として構成され、ローター（２）は、ローター駆動用油圧モーター（３）に取り付けられ且つ回転中心から放射状に張出された支持板（２１）と、当該支持板（２１）から回転軸線に沿って伸長された回転アーム（２２）と、該回転アーム（２２）の外側に突設された複数の掻き羽根（２３）とから構成され、そして、バケット（１）の開口から取り込んだ土石類を掻き羽根（２３）で解砕し、グリズリバー（１５）の間の間隙から土砂を落下させ、解砕されなかった石をバケット（１）内に残留させるようになされていることを特徴とする土石類分離用装置に存する。
【０００６】
【発明の実施の形態】
以下、本発明の実施例を添付図面に基づき説明する。図１は、本発明の土石類分離用装置の１例の説明図、図２は、図１に示す装置のバケットの好ましい態様に従った組み立て説明図、図３は、図１に示す装置のローターの説明図、図４は、本発明の土石類分離用装置の好ましい態様の１例の説明図である。
【０００７】
図１及び図４に示す様に、本発明の土石類分離用装置は、バケット（１）とローター（２）とローター駆動用油圧モーター（３）とから主として構成される。
【０００８】
バケット（１）は、図１及び図２に示す様に、略円筒状を有し且つ一端が開口されると共に側壁部の少なくとも下方に位置する側（底部：排出側）に複数のグリズリバー（１５）が設けられた構造を有し、本発明の好ましい態様においては、複数の桁（１３）を介し前面リング部材（１１）と背面支持板（１２）とが対向配置された枠組構造に構成される。
【０００９】
上記の場合、図４に示す様に、バケット（１）の円周方向に沿って平行に設けられるグリズリバー（１５）は、グリズリバー支持体（１５ｓ）によって桁（１３）に固設される。従って、複数のグリズリバー（１５）の外周部と桁（１３）との間にはグリズリバー支持体（１５ｓ）の長さに見合った所定の間隙が形成される。粗粒用篩い（グリズリ）を構成する複数のグリズリバー（１５）の間の間隙は通常２０〜１００ｍｍである。
【００１０】
本発明の好ましい態様においては、図１及び図４に示す様に、前面リング部材（１１）が補強リング（１６）を備え、図１に示す様に、バケット（１）が開口端の下方に位置する側に土石取込用の案内板（５）を備え、図２及び図４に示す様に、側壁部の上方に位置する側（天井部）に土石飛散防止蓋（１４）を備え、図１及び図２に示す様に、側壁部の下方に位置する側の両側に分離された土砂を下方へ排出する案内板（１７）を備え、図２及び図４に示す様に、他端にバックホウ接続用の取付アタッチメント（４）を備えている。
【００１１】
ローター（２）は、図１〜４に示す様に、バケット（１）に収納され且つ複数のグリズリバー（１５）の間の間隙に添って回転する掻き羽根（２３）を備えた構造を有し、本発明の好ましい態様においては、図３に示す様に、回転中心から放射状に張出された支持板（２１）と、当該支持板（２１）から回転軸線に沿って伸長された回転アーム（２２）と、該回転アーム（２２）の外側に突設された複数の掻き羽根（２３）とから構成される。
【００１２】
ローター駆動用油圧モーター（３）は、バケット（１）の他端（開口の反対側の端）に付設され、図３及び図４に示す様に、その回転側に支持板（２１）を固設し、ローター（２）を回転させる。図４に例示した態様の場合、ローター駆動用油圧モーター（３）の固定側が背面支持板（１２）に固設されて回転側がバケット（１）の内側に配置されているが、回転側もバケット（１）の外側に配置させてもよい。なお、図２及び図４中の符号（３１）は、ローター駆動用油圧モーター（３）に所要の油圧を供給するための油圧アタッチメントを表す。
【００１３】
本発明の好ましい態様においては、ローター駆動用油圧モーター（３）に異常負荷が掛かった際にローター（２）を逆回転させる回転制御手段（図示せず）が組み込まれる。斯かる回転制御手段は、ローター駆動用油圧モーター（３）の異常負荷を検出した際、ローター（２）を直ちに停止させ、逆回転させた後に元の正回転に復帰させる電気回路によって構成される。
【００１４】
本発明の土石類分離用装置は、通常、取付アタッチメント（４）によってバックホウに接続して次の様に使用される。そして、解砕機能と篩分機能とを発揮する。
【００１５】
先ず、バックホウの駆動により、案内板（５）を介し、バケット（１）の開口から建設残土を取り込む。次いで、開口側を少し高めにしてバケット（１）を傾斜させ、ローター駆動用油圧モーター（３）によってローター（２）を回転させる。
【００１６】
バケット（１）内に取込まれた建設残土は、掻き羽根（２３）により掻き回される。これに伴い、複数のグリズリバー（１５）の間の間隙（篩用隙間）より小さい土砂などは案内板（１７）でガイドされながら落下する。更に、掻き羽根（２３）が先端を篩用隙間に挿入して回転するため、篩用隙間に挟まった土砂の塊などは良好に解砕されて落下する。そして、解砕されずに残った大きな石などはバケット（１）内に残留する。この際、バケット（１）内において掻き羽根（２３）が先端を篩用隙間に挿入して回転するため、建設残土が粘性土などであっても、バケット（１）内に付着することがなく建設残土を円滑に処理することが出来る。そして、上記の解砕などによる小石の飛散は、土石飛散防止蓋（１４）により防止される。
【００１７】
本発明の土石類分離用装置は、バックホウに接続せずに単独で使用することも出来る。この場合は、適当な架台の上に適当な傾斜を設けて本発明の土石類分離用装置を設置、例えばベルトコンベヤー等でバケット（１）内に建設残土を送り込む。この場合も、解砕機能と篩分機能とは前記の様に円滑に発揮される。
【００１８】
【発明の効果】
以上説明した本発明によれば、種々の工事で発生する建設残土などから、容易に土石類を分別することができる装置であって、特に、粘性土を含有する建設残土の場合であっても十分に機能し得る土石類分離用装置が提供される。
【図面の簡単な説明】
【図１】本発明の土石類分離用装置の１例の説明図
【図２】図１に示す装置のバケットの好ましい態様に従った組み立て説明図
【図３】図１に示す装置のローターの説明図
【図４】本発明の土石類分離用装置の好ましい態様の１例の説明図
【符号の説明】
１：バケット
１１：前面リング部材
１２：背面支持板
１３：桁
１４：土石飛散防止蓋
１５：グリズリバー
１５ｓ：グリズリバー支持体
１６：補強リング
１７：案内板
２：ローター
２１：支持板
２２：回転アーム
２３：掻き羽根
３：ローター駆動用油圧モーター
３１：油圧アタッチメント
４：取付アタッチメント
５：案内板
【図１】
0004411699.tif 000002
【図２】
0004411699.tif 000003
【図３】
0004411699.tif 000004
【図４】
0004411699.tif 000005